(57)【要約】      （修正有）【課題】蓋を取る、蓋をするという手間が掛からなくても、確実に名刺カードを収納することができる名刺カード収納ケースを提供する。【解決手段】対面する２つの広板Ａと対面する２つの側板Ｂと１つの底板Ｃから構成され、対面する２つの広板Ａと対面する２つの側板Ｂと１つの底板Ｃで囲まれた名刺カードスペースＳを有する名刺カード収納ケースにおいて、一方の広板Ａの内側固定点Ｐ２において、梁状スプリングＳＰＲの一端を固定すると共に、他方の広板Ａの内側接触点Ｐ１において、梁状スプリングＳＰＲの一部を当該広板Ａの内側面に接触させてなり、かつ、（１）式を具備する。  ｈ２−ｈ１＞０……（１）式  ｈ１：広板Ａの内側接触点Ｐ１の底板Ｃの内側面からの高さ（ｃｍ）  ｈ２：広板Ａの内側固定点Ｐ２の底板Ｃの内側面からの高さ（ｃｍ）【選択図】図２
0003209949.tif 000002
【実用新案登録請求の範囲】
【請求項１】
対面する２つの広板Ａと対面する２つの側板Ｂと１つの底板Ｃから構成され、対面する２つの広板Ａと対面する２つの側板Ｂと１つの底板Ｃで囲まれた名刺カードスペースＳを有する名刺カード収納ケース１００において、一方の広板Ａの内側固定点Ｐ２において、梁状スプリングＳＰＲの一端を固定すると共に、他方の広板Ａの内側接触点Ｐ１において、梁状スプリングＳＰＲの一部を当該広板Ａの内側面に接触させてなり、かつ、（１）式を具備することを特徴とする名刺カード収納ケース１００。
ｈ２−ｈ１＞０……（１）式
ここに、
ｈ１：広板Ａの内側接触点Ｐ１の底板Ｃの内側面からの高さ（ｃｍ）
ｈ２：広板Ａの内側固定点Ｐ２の底板Ｃの内側面からの高さ（ｃｍ）
【請求項２】
名刺カード収納ケース１００が、対面する３つの広板Ａを設けてなり、２つの側板Ｂと１つの底板Ｃから構成され、対面する３つの広板Ａと対面する２つの側板Ｂと１つの底板Ｃで囲まれた２つの名刺カードスペースＳを有する名刺カード収納ケース１００において、一方の広板Ａの内側固定点Ｐ２において、梁状スプリングＳＰＲの一端を固定すると共に、他方の広板Ａの内側接触点Ｐ１において、梁状スプリングＳＰＲの一部を当該広板Ａの内側面に接触させてなり、かつ、（１）式を具備することを特徴とする名刺カード収納ケース１００。
ｈ２−ｈ１＞０……（１）式
ここに、
ｈ１：広板Ａの内側接触点Ｐ１の底板Ｃの内側面からの高さ（ｃｍ）
ｈ２：広板Ａの内側固定点Ｐ２の底板Ｃの内側面からの高さ（ｃｍ）
【請求項３】
梁状スプリングＳＰＲの断面が円形状、又は、楕円状、矩形状であることを特徴とする請求項１〜２の何れかに記載された名刺カード収納ケース１００。
【請求項４】
広板Ａの一部が貫通開口Ｏとなっていることを特徴とする請求項１〜３の何れかに記載された名刺カード収納ケース１００。
【考案の詳細な説明】
【技術分野】
【０００１】
本考案は、名刺カード収納ケースに関する。
【背景技術】
【０００２】
従来の技術である蓋つきの名刺カード収納ケースは、名刺カードを収納する場合に、蓋を取って収納しなければならず、名刺カードを収納した後でも、蓋をする必要が有った。
そのため、名刺カードを収納前、収納後に蓋を取る、蓋をするという２つの手間が余分に掛かっていたという従来技術の欠点が指摘されていた。
名刺カードを収納前、収納後に蓋を取る、蓋をするという２つの手間が余分に掛からなくても、確実に名刺カードを名刺カード収納ケースに収納することができる名刺カード収納ケースの出現が望まれていた。
【考案の開示】
【０００３】
考案者は、かかる従来技術の欠点に鑑み、鋭意研究した結果、本願考案を完成させることができた。
【先行技術文献】
【特許文献】
【０００４】
本願考案に係る名刺カード収納ケースについて、ＦＩ、キーワード検索を行ったところ、本件考案（請求項１〜４に記載された考案）に近い考案等記載文献は、発見されませんでしたので、特許文献の記載は省略する。
【考案の概要】
【考案が解決しようとする課題】
【０００５】
○本考案が解決しようとする第１課題
本考案が解決しようとする第１課題は、
名刺カードを収納前、収納後に蓋を取る、蓋をするという２つの手間が余分に掛からなくても、確実に名刺カードを名刺カード収納ケースに収納することができる名刺カード収納ケースを提供することである。
○本考案が解決しようとする第２課題
本考案が解決しようとする第２課題は、
名刺カード収納ケースに収納された名刺カードが、名刺カード収納ケースの入口を逆さにしたりした場合、名刺カード収納ケース外に出てしまって紛失のおそれが有るが、かかる不都合のない名刺カード収納ケースを提供することである。
【課題を解決するための手段】
【０００６】
課題を解決するための手段は、本願の［実用新案登録請求の範囲］の各請求項に記載の考案である。
実用新案登録請求の範囲、明細書、図面等の用語の解釈上の疑義を解消すべく、以下用語の説明を行うこととする。
＜用語の説明＞
○名刺カードｃｄとは、名刺又はカードをいう。
○名刺とは、小形の紙に、氏名・住所・職業・身分などを記したものをいう。普通、初対面の相手に渡す。
○カードとは、小さな四角い紙（特に、ある規格に従ってそろえたもの）、あるいは「クレジットカード」、「キャッシュカード」、「ＩＣカード」、「テレホンカード」等をいう。
○名刺カード収納ケース１００とは、名刺カードｃｄを収納するためのケースをいう。
名刺カード収納ケース１００は、対面する２つの広板Ａと対面する２つの側板Ｂと１つの底板Ｃから構成され、対面する２つの広板Ａと対面する２つの側板Ｂと１つの底板Ｃで囲まれた名刺カードスペースＳを有してなる（図１（Ａ）図、図３（Ａ）図、（Ｄ）図）。
名刺カード収納ケース１００（他の実施態様）は、名刺カード収納ケース１００が、対面する３つの広板Ａを設けてなり、２つの側板Ｂと１つの底板Ｃから構成され、対面する３つの広板Ａと対面する２つの側板Ｂと１つの底板Ｃで囲まれた２つの名刺カードスペースＳを有してなる（図１（Ｂ）図、図２（Ｂ）図）。
○対面するとは、板面が平行な２つの板（広板Ａ又は側板Ｂ）が名刺カードスペースＳを挟んで対峙することをいう。
対面する２つの板、対面する３つの板とは、板面が平行な２つの板、板面が平行な３つの板と同義である。
○広板Ａとは、名刺カード収納ケース１００を構成する最も面積の広い対面する２つの板をいう。
○広板Ａ（他の実施態様）とは、名刺カード収納ケース１００（２つの名刺カードスペースＳを有する態様）を構成する）の最も面積の広い対面する３つの板をいう。
ここに、対面する３つの板において、「対面する」の意味合いは、板面が平行な２つの板（左側の広板Ａと中央の広板Ａ、及び、中央の広板Ａと右側の広板Ａ）が名刺カードスペースＳを挟んで対峙することをいう（図３（Ｄ）図）。（左側の広板Ａ、中央の広板Ａ、右側の広板Ａとは、図３（Ｄ）図の紙面視、板面が平行な３つの広板Ａを、左から順に、左側の広板Ａ、中央の広板Ａ、右側の広板Ａというものとする。
○側板Ｂとは、名刺カード収納ケース１００の側面を構成し、対面する２つの板をいう。
○底板Ｃとは、名刺カード収納ケース１００の底面を構成し、１つの板をいう。
○名刺カードスペースＳとは、対面する２つの広板Ａと対面する２つの側板Ｂと１つの底板Ｃから構成され、対面する２つの広板Ａと対面する２つの側板Ｂと１つの底板Ｃで囲まれてなる、名刺カードｃｄを収納するためのスペースをいう。
○梁状スプリングＳＰＲとは、力学的に弾性梁として取り扱うことができるバネをいう。名刺カードｃｄがケース外に出ないように名刺カードｃｄを他方の広板内側面に押し付けて動かないようにするためのバネをいう。
一方の広板Ａの内側固定点Ｐ２において、梁状スプリングＳＰＲの一端を固定すると共に、他方の広板Ａの内側接触点Ｐ１において、梁状スプリングＳＰＲの一部を当該広板Ａの内側面に接触させてなる。
○梁状スプリングＳＰＲの断面は、一般には左右対称の断面であり、例えば、円形状、又は、楕円状、矩形状の断面が提示される。円形状の断面の場合は、梁状スプリングＳＰＲは線状バネであり、矩形状の断面の場合は、梁状スプリングＳＰＲは板バネである。
○一方の広板Ａの内側固定点Ｐ２とは、梁状スプリングＳＰＲの一端を固定する点をいう。より具体的には、広板Ａの内側と梁状スプリングＳＰＲの中心線の交点をいうものとする。広板Ａの内側と梁状スプリングＳＰＲの固着範囲は、当該固定点Ｐ２より一定長さとなる（図４（Ａ）図〜（Ｃ）図）。
○他方の広板Ａの内側接触点Ｐ１とは、梁状スプリングＳＰＲの一部が当該広板Ａの内側面に接触する場合において、接触する点のうち、上記固定点Ｐ２に一番近い点をいう。
（１）図１（Ｄ）図、図２（Ｄ）図の場合
梁状スプリングＳＰＲの一部は、梁状スプリングＳＰＲの先端点であり、１点しかなく、上記固定点Ｐ２に一番近い点は、当該広板Ａの内側面に接触する先端点が、接触点Ｐ１となる。
（２）図４（Ａ）図の場合
梁状スプリングＳＰＲの一部が、梁状スプリングＳＰＲの一定範囲の先端部分であり、一定範囲の先端部分の点の中で、上記固定点Ｐ２に一番近い点が接触点Ｐ１となる。
（３）図４（Ｂ）図の場合
梁状スプリングＳＰＲの一部が、梁状スプリングＳＰＲの一先端点と固定点Ｐ２の途中の点であり、１点しかなく、上記固定点Ｐ２に一番近い点は、当該広板Ａの内側面に接触する先端点が接触点Ｐ１となる。
（４）図４（Ｃ）図の場合
梁状スプリングＳＰＲの一部が、梁状スプリングＳＰＲの一先端点と固定点Ｐ２の途中の２点であり、２点の中で上記固定点Ｐ２に一番近い点が、接触点Ｐ１となる。
○ｈ２−ｈ１＞０……（１）式
ここに、
ｈ１：広板Ａの内側接触点Ｐ１の底板Ｃの内側面からの高さ（ｃｍ）
ｈ２：広板Ａの内側固定点Ｐ２の底板Ｃの内側面からの高さ（ｃｍ）
（１）式を満足する場合、名刺カードｃｄを入口から入れると名刺カードｃｄの先端辺が梁状スプリングＳＰＲに当たり梁状スプリングＳＰＲは、名刺カードｃｄを挿入するためのスペースを空けるように変位し、名刺カードの挿入後は、名刺カードｃｄを押し付けて名刺カードｃｄを容易に外に出ないようにする（図５（Ａ）図〜（Ｃ）図）。
（１）式を満足しない場合、名刺カードｃｄを入口から入れると名刺カードｃｄの先端辺が梁状スプリングＳＰＲに当たり梁状スプリングＳＰＲは、名刺カードｃｄが挿入するためのスペースを空けないように作用し、名刺カードｃｄを挿入することができない（（図５（Ａ）図〜（Ｃ）図）から類推）。
○貫通開口Ｏは、広板Ａの一部が開口となっている部分をいう。広板Ａの一部が開口となることにより、広板Ａの開口部から名刺カードが外から見え、かつ、広板Ａの開口部から指を入れ、指で名刺カードｃｄに触れることによって、移動方向に移動させて、名刺カード収納ケース１００から名刺カードｃｄを外に取り出すことができる（図６（Ａ）図、（Ｂ）図）。
課題を解決するための手段は、本願の実用新案登録請求の範囲の各請求項に記載の考案であり、その具体的な解決手段は、以下の通りである。
○第１の考案（請求項１に記載の考案）
●上記の課題を解決するための第１の考案（請求項１に記載の考案）は、
対面する２つの広板Ａと対面する２つの側板Ｂと１つの底板Ｃから構成され、対面する２つの広板Ａと対面する２つの側板Ｂと１つの底板Ｃで囲まれた名刺カードスペースＳを有する名刺カード収納ケース１００において、一方の広板Ａの内側固定点Ｐ２において、梁状スプリングＳＰＲの一端を固定すると共に、他方の広板Ａの内側接触点Ｐ１において、梁状スプリングＳＰＲの一部を当該広板Ａの内側面に接触させてなり、かつ、（１）式を具備することを特徴とする名刺カード収納ケース１００である。
ｈ２−ｈ１＞０……（１）式
ここに、
ｈ１：広板Ａの内側接触点Ｐ１の底板Ｃの内側面からの高さ（ｃｍ）
ｈ２：広板Ａの内側固定点Ｐ２の底板Ｃの内側面からの高さ（ｃｍ）
○第２の考案（請求項２に記載の考案）
●上記の課題を解決するための第２の考案（請求項２に記載の考案）は、
名刺カード収納ケース１００が、対面する３つの広板Ａを設けてなり、２つの側板Ｂと１つの底板Ｃから構成され、対面する３つの広板Ａと対面する２つの側板Ｂと１つの底板Ｃで囲まれた名刺カード２つのスペースＳを有する名刺カード収納ケース１００において、一方の広板Ａの内側固定点Ｐ２において、梁状スプリングＳＰＲの一端を固定すると共に、他方の広板Ａの内側接触点Ｐ１において、梁状スプリングＳＰＲの一部を当該広板Ａの内側面に接触させてなり、かつ、（１）式を具備することを特徴とする名刺カード収納ケース１００である。
ｈ２−ｈ１＞０……（１）式
ここに、
ｈ１：広板Ａの内側接触点Ｐ１の底板Ｃの内側面からの高さ（ｃｍ）
ｈ２：広板Ａの内側固定点Ｐ２の底板Ｃの内側面からの高さ（ｃｍ）
○第３の考案（請求項３に記載の考案）
●上記の課題を解決するための第３の考案（請求項３に記載の考案）は、
梁状スプリングＳＰＲの断面が円形状、又は、楕円状、矩形状であることを特徴とする請求項１〜２の何れかに記載された名刺カード収納ケース１００である。
○第４の考案（請求項４に記載の考案）
●上記の課題を解決するための第４の考案（請求項４に記載の考案）は、
広板Ａの一部が貫通開口Ｏとなっていることを特徴とする請求項１〜３の何れかに記載された名刺カード収納ケース１００である。
【考案の効果】
【０００７】
本考案に係る名刺カード収納ケース１００は、上記のような特徴的構成要件から構成され、特徴的構成要件に応じた、以下のような本願考案特有の効果を奏する。
また、上記の各考案に応じた、上記のような特徴的構成要件から構成された名刺カード収納ケース１００によれば、本願考案の課題を十分解消することができた。
○第１の考案の効果
第１の考案によれば、
対面する２つの広板Ａと対面する２つの側板Ｂと１つの底板Ｃから構成され、対面する２つの広板Ａと対面する２つの側板Ｂと１つの底板Ｃで囲まれた名刺カードスペースＳを有する名刺カード収納ケース１００において、一方の広板Ａの内側固定点Ｐ２において、梁状スプリングＳＰＲの一端を固定すると共に、他方の広板Ａの内側接触点Ｐ１において、梁状スプリングＳＰＲの一部を当該広板Ａの内側面に接触させてなり、かつ、（１）式を具備することを特徴とする名刺カード収納ケース１００。
ｈ２−ｈ１＞０……（１）式
ここに、
ｈ１：広板Ａの内側接触点Ｐ１の底板Ｃの内側面からの高さ（ｃｍ）
ｈ２：広板Ａの内側固定点Ｐ２の底板Ｃの内側面からの高さ（ｃｍ）
という特徴的な構成要件により、本考案が解決しようとする第１課題〜第２課題を達成することができ、当業者予測不可能な顕著な効果を奏することができた。
○第２の考案の効果
第２の考案によれば、
名刺カード収納ケース１００が、対面する３つの広板Ａを設けてなり、２つの側板Ｂと１つの底板Ｃから構成され、対面する３つの広板Ａと対面する２つの側板Ｂと１つの底板Ｃで囲まれた名刺カード２つのスペースＳを有する名刺カード収納ケース１００において、一方の広板Ａの内側固定点Ｐ２において、梁状スプリングＳＰＲの一端を固定すると共に、他方の広板Ａの内側接触点Ｐ１において、梁状スプリングＳＰＲの一部を当該広板Ａの内側面に接触させてなり、かつ、（１）式を具備することを特徴とする名刺カード収納ケース１００。
ｈ２−ｈ１＞０……（１）式
ここに、
ｈ１：広板Ａの内側接触点Ｐ１の底板Ｃの内側面からの高さ（ｃｍ）
ｈ２：広板Ａの内側固定点Ｐ２の底板Ｃの内側面からの高さ（ｃｍ）
という特徴的な構成要件により、本考案が解決しようとする第１課題〜第２課題を達成することができ、当業者予測不可能な顕著な効果を奏することができた。
○第３の考案の効果
第３の考案によれば、
梁状スプリングＳＰＲの断面が円形状、又は、楕円状、矩形状であることという特徴的な構成要件により、本考案が解決しようとする第１課題〜第２課題を達成することができ、当業者予測不可能な顕著な効果を奏することができた。
○第４の考案の効果
第４の考案によれば、
広板Ａの一部が貫通開口Ｏとなっていることという特徴的な構成要件により、本考案が解決しようとする第１課題〜第２課題を達成することができ、当業者予測不可能な顕著な効果を奏することができた。
【考案を実施するための最良の形態】
【０００８】
以下、本考案に係る、名刺カード収納ケース１００に関する最良の実施形態について、図面を参照しながら説明する。
［図１］図１は、本発明に係る名刺カード収納ケース１００の斜視図である。（Ａ）図は、名刺カードスペースＳを１つ有する場合の本発明に係る名刺カード収納ケース１００（第１態様）の斜視図である。（Ｂ）図は、名刺カードスペースＳを２つ有する場合の本発明に係る名刺カード収納ケース１００（第２態様）の斜視図である。
［図２］図２は、本発明に係る名刺カード収納ケース１００（第１態様）の図面である。（Ａ）図は、本発明に係る名刺カード収納ケース１００（第１態様）の平面図である。（Ｂ）図は、本発明に係る名刺カード収納ケース１００（第１態様）の正面図である。（Ｃ）図は、本発明に係る名刺カード収納ケース１００（第１態様）の底面図である。（Ｄ）図は、本発明に係る名刺カード収納ケース１００（第１態様）の右側断面図である。
［図３］図３は、本発明に係る名刺カード収納ケース１００（第２態様）の図面である。（Ａ）図は、本発明に係る名刺カード収納ケース１００（第２態様）の平面図である。（Ｂ）図は、本発明に係る名刺カード収納ケース１００（第２態様）の正面図である。（Ｃ）図は、本発明に係る名刺カード収納ケース１００（第２態様）の底面図である。（Ｄ）図は、本発明に係る名刺カード収納ケース１００（第２態様）の右側断面図である。
［図４］図４は、本発明に係る梁状スプリングＳＰＲの実施態様を表す右側断面図である。（Ａ）図は、本発明に係る梁状スプリングＳＰＲの一部と当該広板Ａとの接触が面接触である実施態様を表す図である。（Ｂ）図は、本発明に係る梁状スプリングＳＰＲの一部（梁状スプリングＳＰＲの端点ではない）と当該広板Ａの接触が１点接触である実施態様を表す図である。（Ｃ）図は、本発明に係る梁状スプリングＳＰＲの一部（梁状スプリングＳＰＲの端点ではない）と当該広板Ａの接触が２点接触である実施態様を表す図である。
［図５］図５は、本発明に係る名刺カード収納ケース１００（第１態様、第２態様）の使用態様を表す図である。（Ａ）図は、名刺カードｃｄを名刺カード収納ケース１００の中に入れようとする図を表す。（Ｂ）図は、名刺カードｃｄを名刺カード収納ケース１００の中に略入れ終わった図を表す。（Ｃ）図は、名刺カードｃｄを名刺カード収納ケース１００の中から取り出そうとしている図を表す。
［図６］図６は、本発明に係る貫通開口Ｏの実施態様を表す正面図である。（Ａ）図は、本発明に係る貫通開口Ｏが広板Ａの上部から切取った貫通開口の実施態様を表す正面図である。（Ｂ）図は、本発明に係る貫通開口Ｏが広板Ａの中央部部に設置された貫通開口の実施態様を表す正面図である。
以下、本考案に係る、名刺カード収納ケース１００について、図面を参照しながら説明する。
１１１１１＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の名刺カード収納ケース１００において、
対面する２つの広板Ａと対面する２つの側板Ｂと１つの底板Ｃから構成され、対面する２つの広板Ａと対面する２つの側板Ｂと１つの底板Ｃで囲まれた名刺カードスペースＳを有する名刺カード収納ケース１００において、一方の広板Ａの内側固定点Ｐ２において、梁状スプリングＳＰＲの一端を固定すると共に、他方の広板Ａの内側接触点Ｐ１において、梁状スプリングＳＰＲの一部を当該広板Ａの内側面に接触させてなり、かつ、（１）式を具備することを特徴とする名刺カード収納ケース１００が開示されている。
ｈ２−ｈ１＞０……（１）式
ここに、
ｈ１：広板Ａの内側接触点Ｐ１の底板Ｃの内側面からの高さ（ｃｍ）
ｈ２：広板Ａの内側固定点Ｐ２の底板Ｃの内側面からの高さ（ｃｍ）
を特徴とする名刺カード収納ケース１００が開示されている。
○第１の考案の効果
第１の考案によれば、
対面する２つの広板Ａと対面する２つの側板Ｂと１つの底板Ｃから構成され、対面する２つの広板Ａと対面する２つの側板Ｂと１つの底板Ｃで囲まれた名刺カードスペースＳを有する名刺カード収納ケース１００において、一方の広板Ａの内側固定点Ｐ２において、梁状スプリングＳＰＲの一端を固定すると共に、他方の広板Ａの内側接触点Ｐ１において、梁状スプリングＳＰＲの一部を当該広板Ａの内側面に接触させてなり、かつ、（１）式を具備することを特徴とする名刺カード収納ケース１００。
ｈ２−ｈ１＞０……（１）式
ここに、
ｈ１：広板Ａの内側接触点Ｐ１の底板Ｃの内側面からの高さ（ｃｍ）
ｈ２：広板Ａの内側固定点Ｐ２の底板Ｃの内側面からの高さ（ｃｍ）
という特徴的な構成要件により、本考案が解決しようとする第１課題〜第２課題を達成することができ、当業者予測不可能な顕著な効果を奏することができた。
２２２２２＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の名刺カード収納ケース１００において、
名刺カード収納ケース１００が、対面する３つの広板Ａを設けてなり、２つの側板Ｂと１つの底板Ｃから構成され、対面する３つの広板Ａと対面する２つの側板Ｂと１つの底板Ｃで囲まれた名刺カード２つのスペースＳを有する名刺カード収納ケース１００において、一方の広板Ａの内側固定点Ｐ２において、梁状スプリングＳＰＲの一端を固定すると共に、他方の広板Ａの内側接触点Ｐ１において、梁状スプリングＳＰＲの一部を当該広板Ａの内側面に接触させてなり、かつ、（１）式を具備することを特徴とする名刺カード収納ケース１００が開示されている。
ｈ２−ｈ１＞０……（１）式
ここに、
ｈ１：広板Ａの内側接触点Ｐ１の底板Ｃの内側面からの高さ（ｃｍ）
ｈ２：広板Ａの内側固定点Ｐ２の底板Ｃの内側面からの高さ（ｃｍ）
を特徴とする名刺カード収納ケース１００が開示されている。
○第２の考案の効果
第２の考案によれば、
名刺カード収納ケース１００が、対面する３つの広板Ａを設けてなり、２つの側板Ｂと１つの底板Ｃから構成され、対面する３つの広板Ａと対面する２つの側板Ｂと１つの底板Ｃで囲まれた名刺カード２つのスペースＳを有する名刺カード収納ケース１００において、一方の広板Ａの内側固定点Ｐ２において、梁状スプリングＳＰＲの一端を固定すると共に、他方の広板Ａの内側接触点Ｐ１において、梁状スプリングＳＰＲの一部を当該広板Ａの内側面に接触させてなり、かつ、（１）式を具備することを特徴とする名刺カード収納ケース１００。
ｈ２−ｈ１＞０……（１）式
ここに、
ｈ１：広板Ａの内側接触点Ｐ１の底板Ｃの内側面からの高さ（ｃｍ）
ｈ２：広板Ａの内側固定点Ｐ２の底板Ｃの内側面からの高さ（ｃｍ）
という特徴的な構成要件により、本考案が解決しようとする第１課題〜第２課題を達成することができ、当業者予測不可能な顕著な効果を奏することができた。
３３３３３＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の名刺カード収納ケース１００において、
梁状スプリングＳＰＲの断面が円形状、又は、楕円状、矩形状であることを特徴とする請求項１〜２の何れかに記載された名刺カード収納ケース１００が開示されている。
○第３の考案の効果
第３の考案によれば、
梁状スプリングＳＰＲの断面が円形状、又は、楕円状、矩形状であることという特徴的な構成要件により、本考案が解決しようとする第１課題〜第２課題を達成することができ、当業者予測不可能な顕著な効果を奏することができた。
４４４４４＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の名刺カード収納ケース１００において、
広板Ａの一部が貫通開口Ｏとなっていることを特徴とする請求項１〜３の何れかに記載された名刺カード収納ケース１００が開示されている。
○第４の考案の効果
第４の考案によれば、
広板Ａの一部が貫通開口Ｏとなっていることという特徴的な構成要件により、本考案が解決しようとする第１課題〜第２課題を達成することができ、当業者予測不可能な顕著な効果を奏することができた。
【図面の簡単な説明】
【０００９】
【図１】図１は、本発明に係る名刺カード収納ケース１００の斜視図である。（Ａ）図は、名刺カードスペースＳを１つ有する場合の本発明に係る名刺カード収納ケース１００（第１態様）の斜視図である。（Ｂ）図は、名刺カードスペースＳを２つ有する場合の本発明に係る名刺カード収納ケース１００（第２態様）の斜視図である。
【図２】図２は、本発明に係る名刺カード収納ケース１００（第１態様）の図面である。（Ａ）図は、本発明に係る名刺カード収納ケース１００（第１態様）の平面図である。（Ｂ）図は、本発明に係る名刺カード収納ケース１００（第１態様）の正面図である。（Ｃ）図は、本発明に係る名刺カード収納ケース１００（第１態様）の底面図である。（Ｄ）図は、本発明に係る名刺カード収納ケース１００（第１態様）の右側面からの断面図である。
【図３】図３は、本発明に係る名刺カード収納ケース１００（第２態様）の図面である。（Ａ）図は、本発明に係る名刺カード収納ケース１００（第２態様）の平面図である。（Ｂ）図は、本発明に係る名刺カード収納ケース１００（第２態様）の正面図である。（Ｃ）図は、本発明に係る名刺カード収納ケース１００（第２態様）の底面図である。（Ｄ）図は、本発明に係る名刺カード収納ケース１００（第２態様）の右側面からの断面図である。
【図４】図４は、本発明に係る梁状スプリングＳＰＲの実施態様を表す右側面から見た断面図である。（Ａ）図は、本発明に係る梁状スプリングＳＰＲの一部と当該広板Ａとの接触が面接触である実施態様を表す図である。（Ｂ）図は、本発明に係る梁状スプリングＳＰＲの一部（梁状スプリングＳＰＲの端点ではない）と当該広板Ａの接触が１点接触である実施態様を表す図である。（Ｃ）図は、本発明に係る梁状スプリングＳＰＲの一部（梁状スプリングＳＰＲの端点ではない）と当該広板Ａの接触が２点接触である実施態様を表す図である。
【図５】図５は、本発明に係る名刺カード収納ケース１００（第１態様、第２態様）の使用態様を表す図である。（Ａ）図は、名刺カードｃｄを名刺カード収納ケース１００の中に入れようとする図を表す。（Ｂ）図は、名刺カードｃｄを名刺カード収納ケース１００の中に略入れ終わった図を表す。（Ｃ）図は、名刺カードｃｄを名刺カード収納ケース１００の中から取り出そうとしている図を表す。
【図６】図６は、本発明に係る貫通開口Ｏの実施態様を表す正面図である。（Ａ）図は、本発明に係る貫通開口Ｏが広板Ａの上部から切取った貫通開口の実施態様を表す正面図である。（Ｂ）図は、本発明に係る貫通開口Ｏが広板Ａの中央部部に設置された貫通開口の実施態様を表す正面図である。
【符号の説明】
【００１０】
Ａ……広板
Ｂ……側板
Ｃ……底板
Ｓ……名刺カードスペース
１００……名刺カード収納ケース
ＳＰＲ……梁状スプリング
Ｐ２……内側固定部
Ｐ１……内側接触部
ｈ１……広板Ａの内側接触点Ｐ１の底板Ｃの内側面からの高さ（ｃｍ）
ｈ２……広板Ａの内側固定点Ｐ２の底板Ｃの内側面からの高さ（ｃｍ）
Ｏ……貫通開口
ｃｄ……名刺カード
Ｆ……梁状スプリングＳＰＲの一部が、平板Ａの内側又は名刺カードｃｄに作用する力（Ｋｇ重）
【図１】
0003209949.tif 000003
【図２】
0003209949.tif 000004
【図３】
0003209949.tif 000005
【図４】
0003209949.tif 000006
【図５】
0003209949.tif 000007
【図６】
0003209949.tif 000008